(57)【要約】【課題】作業に手間を掛けることなく新たな美的外観を有する衣服を提供する。【解決手段】複数種類の生地を縫合して形成される衣服において、透過性の生地、及び非透過性の生地を表裏に重ね合わせて縫合して形成することで、透過性の生地の模様、及び色彩に、非透過性の生地の模様、及び色彩を加えて新たな美的外観を生み出す。【選択図】図１
0003149544.tif 000002
【実用新案登録請求の範囲】
【請求項１】
複数種類の生地を縫合して形成される衣服において、
透過性の生地、及び非透過性の生地を表裏に重ね合わせて縫合して形成されることを特徴とする衣服。
【請求項２】
請求項１に記載の衣服において、
前記透過性の生地が伸縮性を有する生地であり、前記非透過性の生地が非伸縮性の生地であることを特徴とする衣服。
【請求項３】
請求項１又は２に記載の衣服において、
前記非透過性の生地を下地にした場合に、袖全体、身ごろ全体、及び襟の一部に前記透過性の生地の模様が露出し、前記透過性の生地を下地にした場合に、袖口、裾、及び襟全体に前記透過性の生地の模様が露出することを特徴とする衣服。
【請求項４】
請求項１に記載の衣服において、
前記透過性の生地、及び非透過性の生地が、伸縮性を有する生地であることを特徴とする衣服。
【請求項５】
請求項１ないし４のいずれかに記載の衣服において、
前記透過性の生地、及び非透過性の生地を縫合する場合に、少なくとも当該衣服における端部、及び袖ぐりの一部のみを縫合することを特徴とする衣服。
【請求項６】
請求項１ないし５のいずれかに記載の衣服において、
前記透過性の生地に、当該生地の透過性模様と異なる模様が印刷されていることを特徴とする衣服。
【考案の詳細な説明】
【技術分野】
【０００１】
本考案は、複数種類の生地を縫合して形成される衣服に関し、特にレース等の透過性を有する生地を用いて形成される衣服に関する。
【背景技術】
【０００２】
複数種類の生地で形成される衣服に関連する技術として、例えば、特許文献１、及び特許文献２に示す技術が開示されている。特許文献１に示す技術は、オーガンジーのような光透過性を有する装飾用生地が被服の表地の表面の所要範囲に重ねて配置されており、これら装飾用生地と表地とは、縫い付けるなどして結合され、両者の間に所望数の閉鎖空間が形成され、ここには、円形で平らなボタン、その他所望の装飾部材が所望数封入され、装飾用生地は光透過性があり、これを透過して各装飾部材の姿が外側から視認されるものである。これにより、新たな美的外観が生み出される。
【０００３】
また、特許文献２に示す技術は、衣服地の表面に装飾模様を施して第一模様部を形成し、この第一模様部の存する衣服地の上方に透けて見える柔軟地を衣服地と重合状に設けると共に、この柔軟地は衣服地に密着せずに浮いた状態となるように設け、この柔軟地に前記第一模様部の装飾模様と少なくとも一部が重なるように装飾模様を施して第二模様部を形成した構造とした衣服に設ける装飾模様構造に関するものである。
【先行技術文献】
【特許文献】
【０００４】
【特許文献１】特開２００８−１６９５２６号公報
【特許文献２】特開２００１−１５９０１３号公報
【考案の概要】
【考案が解決しようとする課題】
【０００５】
しかしながら、特許文献１に示す技術は、装飾用部材が装飾用生地を通して視認されることで、独特の雰囲気を醸し出す新たな美的外観を実現することができるが、装飾用生地と表地との間にできた閉鎖空間に装飾部材が封入されるため、装飾部材が固定されず体の動きや振動に合わせて動いてしまうため、着ている人にとって煩わしく、着用感が悪い可能性があるという課題を有する。
また、装飾部材（ボタン等）を縫い付けて固定することが可能であるが、作業に大変な手間が掛かってしまうという課題を有する。
【０００６】
特許文献２に示す技術は、装飾模様が二重に重なって立体的に見せることができるが、上下の絵を合わせたり重ねたりする等の緻密な作業が必要となり、作業が煩わしくなってしまうという課題を有する。
【０００７】
本考案は、上記課題を解決するためになされたものであり、作業に手間を掛けることなく新たな美的外観を有する衣服を提供することを目的とする。
【課題を解決するための手段】
【０００８】
（１）本願に開示する衣服は、複数種類の生地を縫合して形成される衣服において、透過性の生地、及び非透過性の生地を表裏に重ね合わせて縫合して形成されることを特徴とするものである。
【０００９】
このように、本願に開示する衣服においては、透過性の生地の模様、及び色彩に、非透過性の生地の模様、及び色彩が加わることで新たな美的外観を生み出すことができるという効果を奏する。
【００１０】
また、透過性の生地にレース等を用い、不規則なレース模様や色彩とし、非透過性の生地も不規則な模様や色彩とすることで、作成者が想定できないようなデザインを生み出す可能性があり、想像を超える新たな美的外観を実現することができるという効果を奏する。
【００１１】
（２）本願に開示する衣服は、前記透過性の生地が伸縮性を有する生地であり、前記非透過性の生地が非伸縮性の生地であることを特徴とするものである。
このように、本願に開示する衣服においては、透過性の生地が伸縮性を有する生地であり、前記非透過性の生地が非伸縮性の生地であるため、作成時に衣服の形態を固定し、確定させて作成することができると共に、着用時には形状をある程度一定に保つことができるという効果を奏する。
【００１２】
（３）本願に開示する衣服は、前記非透過性の生地を下地にした場合に、袖全体、身ごろ全体、及び襟の一部に前記透過性の生地の模様が露出し、前記透過性の生地を下地にした場合に、袖口の一部、裾の一部、及び襟全体に前記透過性の生地の模様が露出することを特徴とするものである。
【００１３】
このように、本願に開示する衣服においては、非透過性の生地を下地にした場合に、袖全体、身ごろ全体、及び襟の一部に前記透過性の生地の模様が露出し、前記透過性の生地を下地にした場合に、袖口の一部、裾の一部、及び襟全体に前記透過性の生地の模様が露出するため、透過性の生地の一部の模様を露出させてデザインのポイントにしたり、透過性の生地を前面に露出させてデザインのポイントにすることで、表裏で異なる美的外観を保ちつつ、透過性の生地の模様を生かして衣服をリバーシブルに着用することができるという効果を奏する。
【００１４】
（４）本願に開示する衣服は、前記透過性の生地、及び非透過性の生地が、伸縮性を有する生地であることを特徴とするものである。
このように、本願に開示する衣服においては、透過性の生地、及び非透過性の生地が、伸縮性を有する生地であるため、美的外観を保ちつつ着脱が容易で着用感を向上させることができるという効果を奏する。
【００１５】
（５）本願に開示する衣服は、前記透過性の生地、及び非透過性の生地を縫合する場合に、少なくとも当該衣服における端部、及び袖ぐりの一部のみを縫合するものである。
このように、本願に開示する衣服においては、透過性の生地、及び非透過性の生地を縫合する場合に、少なくとも当該衣服における端部、及び袖ぐりの一部のみを縫合するため、着用時にそれぞれの生地で相互に意図的なずれを生じさせ、その生じさせたずれにより更に新たな意匠を生み出すことができるという効果を奏する。
【００１６】
（６）本願に開示する衣服は、前記透過性の生地に、当該生地の透過性模様と異なる模様が印刷されていることを特徴とするものである。
このように、本願に開示する衣服においては、透過性の生地に、当該生地の透過性模様と異なる模様が印刷されているため、透過性の生地自体が有する透過性模様、当該透過性模様と異なる印刷された模様、及び透過性模様を通して視認される非透過性の生地の模様が融合され、作成者が意図しないような新たな意匠を生み出すことができるという効果を奏する。
【図面の簡単な説明】
【００１７】
【図１】第１の実施形態に係る衣服において非透過性の生地を下地にした場合の外観を示す図である。
【図２】第１の実施形態に係る衣服において透過性の生地を下地にした場合の外観を示す図である。
【図３】第２の実施形態に係る衣服における縫合する前の生地を示す図である。
【図４】第２の実施形態に係る衣服の外観を示す図である。
【考案を実施するための最良の形態】
【００１８】
以下、本考案の実施の形態を説明する。本考案は多くの異なる形態で実施可能である。従って、本実施形態の記載内容のみで本考案を解釈すべきではない。また、本実施形態の全体を通して同じ要素には同じ符号を付けている。
【００１９】
（本考案の第１の実施形態）
本実施形態に係る衣服について、図１、及び図２を用いて説明する。図１は、本実施形態に係る衣服において非透過性の生地を下地にした場合の外観を示す図、図２は、本実施形態に係る衣服において透過性の生地を下地にした場合の外観を示す図である。
【００２０】
図１において、衣服１は透過性の生地２と非透過性の生地３とを表裏に縫合して形成される。縫合箇所は図１における点線で示した箇所である。図１は、非透過性の生地３を下地にした場合であるため、主に衣服の表面に透過性の生地２が露出している。つまり、非透過性の生地３が裏地であり、透過性の生地２が表地である。
【００２１】
襟部４のカラー４ａとラベル４ｂは折り返されているため、裏地の非透過性の生地３が露出しているが、さらに、その一部の領域４ｃには表地の透過性の生地２が露出している。これは、透過性の生地２と非透過性の生地３とを縫合する際に、透過性の生地２を非透過性の生地３側に一部折り返して点線部にて縫合しているためであり、外観のデザインのアクセントとなっている。
【００２２】
身ごろ５、及び袖部６の全体（袖口７、及び裾８を含む）には透過性の生地２が露出しており、その透過性の生地２を通して裏地である非透過性の生地３の模様や色彩が視認される。つまり、透過性の生地２の模様、色彩と非透過性の生地３の模様、色彩が融合して新たな美的外観を生み出す。ここでも、透過性の生地２と非透過性の生地３とを縫合する際に、透過性の生地２を非透過性の生地３側に一部折り返して点線部で縫合している。これは、衣服１がリバーシブルである場合に、裏地と表地とを入れ替えたとき（図２を参照）に前記と同様にデザインにアクセントをつけるためである。
【００２３】
なお、図１においては、非透過性の生地３を無色、無模様に記載しているが、実際には透過性の生地２と異なる模様や色彩でプリント、染色、又は縫製等されているとする。非透過性の生地３の模様として、例えば、花柄模様、ペイズリー模様、市松模様、チェック模様、アニマル模様、ボーダ模様、ストライプ模様等の模様、色彩でプリント等がなされていてもよい。
【００２４】
また、透過性の生地２については、当該透過性の生地２に新たな模様や色彩をプリント等することで、生地自体の形態が示す模様（透過性模様、レース模様）に、当該プリントした新たな模様や色彩が加わり、非透過性の生地３と合わせて更なる美的外観を生み出すことが可能となる。透過性の生地２の模様として、非透過性の生地３の模様と同様に、例えば、花柄模様、ペイズリー模様、市松模様、チェック模様、アニマル模様、ボーダ模様、ストライプ模様等の模様、色彩でプリント等がなされていてもよい。このとき、透過性模様とプリントした模様は、異なる模様であることが望ましいが、プリントする模様を透過性模様と同一にして、模様同士が一致しないようにずらしてプリント等してもよい。
【００２５】
さらに、透過性の生地２の種類として、一部、又は全部に透過性を有するものを用いてもよい。例えば、レース地、切り抜き地、薄地・厚地混合生地、ビニール等の生地を用いてもよい。
【００２６】
図１において、透過性の生地２は伸縮性を有する生地であっても、伸縮性を有しない生地であってもよいが、非透過性の生地３は伸縮性を有しない生地である。こうすることで、図１に示す通り、本実施形態に係る衣服１がフォーマル調のジャケット等である場合に、着用時に衣服１の形状をある程度維持することができる。また、作成時に衣服１の形態を固定し、確定させて作成することができる。さらに、透過性の生地２を、伸縮性を有する生地にすることで、生地自体の形態が伸縮して変形し、意図しないようなデザインを生み出す場合がある。
【００２７】
図２において、図１の衣服１の表地と裏地を反転した場合を示す。図２と図１の衣服１は全く同じものである。つまり、衣服１がリバーシブルとなっている。襟部４のカラー４ａとラペル４ｂは、折り返されているため、全面に裏地の透過性の生地２が露出している。また、前記にも示したように、透過性の生地２と非透過性の生地３とを縫合する際に、袖口７、及び裾８において、透過性の生地２を非透過性の生地３側に一部折り返して点線部で縫合しているため、透過性の生地２の一部が露出しデザインのアクセントになっている。
【００２８】
図１、及び図２において、縫合箇所が衣服１における端部（例えば、袖口７、裾８、前あき部９、及び襟部４）と袖ぐり１０の一部とすることで、生地の全面で縫着が行われず、透過性の生地２の模様と非透過性の生地３の模様とが相互にずれを生じ、新たなデザインを生み出す。つまり、例えば、起立時における透過性の生地２と非透過性の生地３との模様、色彩の融合と、着席時における透過性の生地２と非透過性の生地３との模様、色彩の融合とは全く異なるデザインを生み出す場合がある。
【００２９】
なお、本実施形態においては、衣服１をリバーシブルとしたが、リバーシブルではなくそれぞれ個別の衣服としてもよい。
このように、本実施形態に係る衣服によれば、透過性の生地の模様、及び色彩に、非透過性の生地の模様、及び色彩が加わることで新たな美的外観を生み出すことができる。
【００３０】
また、透過性の生地にレース等を用い、不規則なレース模様や色彩とし、非透過性の生地も不規則な模様や色彩とすることで、作成者が想定できないようなデザインを生み出す可能性があり、想像を超える新たな美的外観を実現することができる。
【００３１】
さらに、前記非透過性の生地が非伸縮性の生地であるため、作成時に衣服の形態を固定し、確定させて作成することができると共に、着用時には形状をある程度一定に保つことができる。
さらにまた、透過性の生地が伸縮性を有する生地である場合は、生地自体の形態が伸縮して変形し、意図しないようなデザインを生み出すことができる。
【００３２】
さらにまた、非透過性の生地を下地にした場合に、袖全体、身ごろ全体、及び襟の一部に前記透過性の生地の模様が露出し、前記透過性の生地を下地にした場合に、袖口の一部、裾の一部、及び襟全体に前記透過性の生地の模様が露出するため、透過性の生地の一部の模様を露出させてデザインのポイントにしたり、透過性の生地を前面に露出させてデザインのポイントにすることで、表裏で異なる美的外観を保ちつつ、透過性の生地の模様を生かして衣服をリバーシブルに着用することができる。
【００３３】
さらにまた、透過性の生地、及び非透過性の生地を縫合する場合に、少なくとも当該衣服における端部、及び袖ぐりの一部のみを縫合するため、着用時にそれぞれの生地で相互に意図的なずれを生じさせ、その生じさせたずれにより更に新たな意匠を生み出すことができる。
【００３４】
さらにまた、透過性の生地に、当該生地の透過性模様と異なる模様が印刷されているため、透過性の生地自体が有する透過性模様、当該透過性模様と異なる印刷された模様、及び透過性模様を通して視認される非透過性の生地の模様が融合され、作成者が意図しないような新たな意匠を生み出すことができる。
【００３５】
（本考案の第２の実施形態）
本実施形態に係る衣服について、図３、及び図４を用いて説明する。図３は、本実施形態に係る衣服における縫合する前の生地を示す図、図４は、本実施形態に係る衣服の外観を示す図である。
【００３６】
図３（ａ）は、透過性の生地２で作成された衣服１ａであり、図３（ｂ）は、非透過性の生地３で作成された衣服１ｂである。図３（ａ）において、衣服１ａの前面には模様が付けられており、模様部分が透過性となっている。図３（ｂ）において、衣服１ｂの色彩はグラデーションになっている。それぞれが衣服として機能することも可能であるが、デザインが単調になってしまう。
【００３７】
図３におけるそれぞれの衣服１ａ、１ｂを表裏に縫合したものが図４に示す衣服１である。図４において、衣服１は、第１の実施形態の場合と同様に、図３（ａ）、図３（ｂ）のそれぞれの衣服１ａ、１ｂを点線で示した箇所で縫合して形成される。このとき、非透過性の生地で生成された衣服１ｂを下地とすることで、主に衣服１の表面に透過性の生地２が露出する。ここでは、透過性の生地２、及び非透過性の生地３のいずれも伸縮性を有する生地である。
【００３８】
図４に示すように、それぞれは単調なデザインである衣服１ａ、１ｂを組み合わせることで、模様にグラデーションが付き新たな意匠が形成されていることがわかる。また、いずれも伸縮性を有する生地であることから、肌触りや着脱が容易であり着用感を向上させることが可能となる。さらに、視線方向や着用者の姿勢によっては、衣服１ｂのグラデーションの位置と衣服１ａの模様の位置とが変化し、さらに新たな意匠を生み出す。
【００３９】
なお、第１の実施形態の場合と同様に、透過性の生地２、及び非透過性の生地３の模様として、例えば、花柄模様、ペイズリー模様、市松模様、チェック模様、アニマル模様、ボーダ模様、ストライプ模様等の模様、色彩でプリント等がなされていてもよい。このとき、透過性の生地２、及び非透過性の生地３は異なる模様や色彩であることが望ましい。
【００４０】
また、透過性の生地３の種類として、一部、又は全部に透過性を有するものを用いてもよい。例えば、レース地、切り抜き地、薄地・厚地混合生地、ビニール等の生地を用いてもよい。
【００４１】
さらに、図３、及び図４に示す色彩、及び模様はあくまでも一例であり、作成者が任意にデザインすることができる。さらに、それぞれの生地２、３の色彩や模様を敢えて不規則にすることで、それらが融合されたときに作成者の想像を超える新たな意匠を生み出すことができる。
さらにまた、第１の実施形態の場合と同様に、透過性の生地２に新たな模様や色彩をプリント等してもよい。
【００４２】
このように、本実施形態に係る衣服によれば、透過性の生地、及び非透過性の生地が、伸縮性を有する生地であるため、美的外観を保ちつつ着脱が容易で着用感を向上させることができる。
【００４３】
以上の前記各実施形態により本考案を説明したが、本考案の技術的範囲は実施形態に記載の範囲には限定されず、これら各実施形態に多様な変更又は改良を加えることが可能である。そして、かような変更又は改良を加えた実施の形態も本考案の技術的範囲に含まれる。このことは、実用新案登録請求の範囲及び課題を解決する手段からも明らかなことである。
【符号の説明】
【００４４】
１（１ａ、１ｂ）  衣服
２  透過性の生地
３  非透過性の生地
４  襟部
４ａ  カラー
４ｂ  ラペル
５  身ごろ
６  袖部
７  袖口
８  裾
９  前あき部
１０  袖ぐり
【図１】
0003149544.tif 000003
【図２】
0003149544.tif 000004
【図３】
0003149544.tif 000005
【図４】
0003149544.tif 000006